(57)【要約】      （修正有）【課題】畳縁用の帯状部材を使用して新たな雰囲気を醸し出すことのできる収納体を提供する。【解決手段】バッグは、畳縁用の帯状部材を横方向に並設して構成する。帯状部材１０は、一部で幅方向の所定寸法で折り返して使用する折り返し帯状部材１０Ａ、１０Ｂ、１０Ｄ、１０Ｅ、一部で、平板状のまま使用する平板状帯状部材１０Ｃ、別の一部で一方の縁部を折り返して使用する縁部折り返し帯状部材１０Ｆのいずれかを適度な位置に配置して、それぞれの耳部１０１〜１０４を縫合して接合する。それぞれの帯状部材１０において、いずれかの一対の帯状部材１０、１０の耳部の裏面に配置する折り返し帯状部材１０Ｄ、１０Ｅと折り返し帯状部材１０Ｄ、１０Ｅとに縫合する異色の切り返し片１１を含む切り返し部１２で接合する。【選択図】図３
0003145506.tif 000002
【実用新案登録請求の範囲】
【請求項１】
上部を開閉可能に形成する開口部と、下部を閉口する底部と、収納部を間にして正面部と背面部とを連接した胴体部と、を備える収納体であって、
前記胴体部の正面部と背面部とには、畳縁として使用される複数の帯状部材が、隣接する前記帯状部材と長手方向に沿って縫合して並設され、
それぞれの前記帯状部材は、少なくとも一部に隣接する前記帯状部材とそれぞれの耳部同士を縫合して連接され、前記帯状部材の一方の耳部が隣接する前記帯状部材の耳部を覆うように配設されていることを特徴とする収納体。
【請求項２】
上部を開閉可能に形成する開口部と、下部を閉口する底部と、収納部を間にして正面部と背面部とを連接した胴体部と、を備える収納体であって、
前記胴体部の正面部と背面部とには、畳縁として使用される複数の帯状部材が、長手方向に沿って隣接する前記帯状部材と縫合して並設され、
それぞれの前記帯状部材は、少なくとも一部において隣接する前記帯状部材とそれぞれの耳部同士を縫合して接続されるとともに前記帯状部材の一方の耳部が隣接する前記帯状部材の耳部を覆うように配設され、別の一部において隣り合うそれぞれの前記帯状部材の耳部の裏面に縫合して一対の前記帯状部材間を開くことのできる切り返し部を介して連接されていることを特徴とする収納体。
【請求項３】
一部の前記帯状部材は、幅方向に対して所定位置で折り返されて、折り返し部又は前記折り返し部と反対側の耳部において、隣接する帯状部材と縫合して接合されていることを特徴とする請求項１又は２記載の収納体。
【請求項４】
前記帯状部材は、前記胴体部の横方向に沿って並設されていることを特徴とする請求項１又は２記載の収納体。
【請求項５】
前記帯状部材は、前記胴体部の縦方向に沿って並設されていることを特徴とする請求項１又は２記載の収納体。
【請求項６】
前記開口部には、縦方向に沿って並設される前記帯状部材の端部と重合する前記帯状部材が横方向に配設されていることを特徴とする請求項５記載の収納体。
【請求項７】
前記帯状部材の上部には、隣接して縫合される帯状部材同士で縫合部位から三角状に折り返された三角状折り返し部が形成されていることを特徴とする請求項６記載の収納体。
【請求項８】
前記三角状折り返し部の一部が、縫合部に向かって絞られて形成されていることを特徴とする請求項７記載の収納体。
【請求項９】
前記底部には、畳縁として使用される帯状部材が前記胴体部の帯状部材と同一の方向に沿って配設されていることを特徴とする請求項４記載の収納体。
【請求項１０】
前記胴体部内には、布製の裏地部が配設されていることを特徴とする請求項１又は２記載の収納体。
【請求項１１】
前記切り返し部が、前記帯状部材と異色に形成される切り返し部を含んでいることを特徴とする請求項２記載の収納体。
【請求項１２】
畳縁として使用される帯状部材を、長手方向に対して所定寸法に切断して１本の短尺帯状部材とし、前記短尺帯状部材を折り返して１本の帯部として形成し、前記帯部の折り返した両側面を縫合するとともに、折り返し部の反対側に開口部を形成することによって収納部が形成されることを特徴とする収納体。
【請求項１３】
畳縁として使用される帯状部材を、長手方向に対して所定寸法に切断して１本の短尺帯状部材とし、前記短尺帯状部材を折り返して１本の帯部として形成し、前記帯部を２本重ね合わせて長手方向に沿って縫合することによって収納部が形成されることを特徴とする収納体。
【考案の詳細な説明】
【技術分野】
【０００１】
本考案は、バッグや小物入れ等の収納体に関し、さらに畳縁として使用する帯状部材で形成する収納体に関する。
【背景技術】
【０００２】
従来、バッグや小物入れ等の収納体は、様々な材料が使用されて高級感を示すものや、収納し易さを表現したもの、また、ファッション性の優れたもの、あるいは、四季に適合したもの等、それぞれの材料の特質に適合したものが提供されている。しかし、これ等の収納体は、全国各所に幅広く提供されていて、需要者にとって新鮮さを供与することができないことから、新たな雰囲気を示すものが望まれていた。
【０００３】
一方、独特な雰囲気を有して優雅な雰囲気を示すものとして畳縁に使用される帯状部材がある。この帯状部材は、現在では、ポリエステルやポリプロピレン又はポリエチレン等の化学繊維で形成されたものが主流として提供され、また、昔ながらの質感に優れた麻又は綿の材料で形成されたものも提供されている。この畳縁は丈夫であり、通常、約８ｃｍの定幅寸法に形成されている。従来ではこの畳縁として使用される帯状材料でバッグや小物入れを形成したものはなく、特許文献にも発見されていなかった。
【考案の開示】
【考案が解決しようとする課題】
【０００４】
しかし、上述のように畳縁として使用される帯状部材は、約８ｃｍ幅の定幅寸法で形成されていることから、そのまま１枚で袋状の収納体を形成することはできず、底の深いバッグ等を製作することが容易ではなかった。
【課題を解決するための手段】
【０００５】
本考案は、上述の課題を解決するものであり、畳縁として使用される帯状材料を使用して日本的な独特な雰囲気をかもし出すことのできる収納体を提供することを目的とするものであり、本考案に係る収納体は、以下のように構成するものである。すなわち、
請求項１記載の考案では、上部を開閉可能に形成する開口部と、下部を閉口する底部と、収納部を間にして正面部と背面部とを連接した胴体部と、を備える収納体であって、前記胴体部の正面部と背面部とには、畳縁として使用される複数の帯状部材が、隣接する前記帯状部材と長手方向に沿って縫合して並設され、それぞれの前記帯状部材は、少なくとも一部に隣接する前記帯状部材とそれぞれの耳部同士を縫合して連接され、前記帯状部材の一方の耳部が隣接する前記帯状部材の耳部を覆うように配設されていることを特徴とするものである。
【０００６】
請求項２記載の考案では、上部を開閉可能に形成する開口部と、下部を閉口する底部と、収納部を間にして正面部と背面部とを連接した胴体部と、を備える収納体であって、前記胴体部の正面部と背面部とには、畳縁として使用される複数の帯状部材が、長手方向に沿って隣接する前記帯状部材と縫合して並設され、それぞれの前記帯状部材は、少なくとも一部において隣接する前記帯状部材とそれぞれの耳部同士を縫合して接続されるとともに前記帯状部材の一方の耳部が隣接する前記帯状部材の耳部を覆うように配設され、別の一部において隣り合うそれぞれの前記帯状部材の耳部の裏面に縫合して一対の前記帯状部材間を開くことのできる切り返し部を介して連接されていることを特徴とするものである。
【０００７】
請求項３記載の考案では、請求項１又は２に係るものであって、一部の前記帯状部材は、幅方向に対して所定位置で折り返されて、折り返し部又は前記折り返し部と反対側の耳部において、隣接する帯状部材と縫合して接合されていることを特徴としている。
【０００８】
請求項４記載の考案では、請求項１又は２に係るものであって、前記帯状部材は、前記胴体部の横方向に沿って並設されていることを特徴としている。
【０００９】
請求項５記載の考案では、請求項１又は２に係るものであって、前記帯状部材は、前記胴体部の縦方向に沿って並設されていることを特徴としている。
【００１０】
請求項６記載の考案では、請求項５に係るものであって、前記開口部には、縦方向に沿って並設される前記帯状部材の端部と重合する前記帯状部材が横方向に配設されていることを特徴としている。
【００１１】
請求項７記載の考案では、請求項６に係るものであって、前記帯状部材の上部には、隣接して縫合される帯状部材同士で縫合部位から三角状に折り返された三角状折り返し部が形成されていることを特徴としている。
【００１２】
請求項８記載の考案では、請求項７に係るものであって、前記三角状折り返し部の一部が、縫合部に向かって絞られて形成されていることを特徴としている。
【００１３】
請求項９記載の考案では、請求項４に係るものであって、前記底部には、畳縁として使用される帯状部材が前記胴体部の帯状部材と同一の方向に沿って配設されていることを特徴としている。
【００１４】
請求項１０記載の考案では、請求項１又は２に係るものであって、前記胴体部内には、布製の裏地部が配設されていることを特徴としている。
【００１５】
請求項１１記載の考案では、請求項２に係るものであって、前記切り返し部が、前記帯状部材と異色に形成される切り返し部を含んでいることを特徴としている。
【００１６】
請求項１２記載の考案では、畳縁として使用される帯状部材を、長手方向に対して所定寸法に切断して１本の短尺帯状部材とし、前記短尺帯状部材を折り返して１本の帯部として形成し、前記帯部の折り返した両側面を縫合するとともに、折り返し部の反対側に開口部を形成することによって収納部が形成されることを特徴とするものである。
【００１７】
請求項１３記載の考案では、畳縁として使用される帯状部材を、長手方向に対して所定寸法に切断して１本の短尺帯状部材とし、前記短尺帯状部材を折り返して１本の帯部として形成し、前記帯部を２本重ね合わせて長手方向に沿って縫合することによって収納部が形成されることを特徴とするものである。
【考案の効果】
【００１８】
本考案に係る収納体では、畳縁として使用されている帯状部材を、例えば、横方向あるいは縦方向に並列して構成し、それぞれ縫合することによって収納部を有する胴体部を形成している。しかもそれぞれの帯状部材の接合部においては、少なくとも一部において、長手方向に沿う耳部で縫合するとともに、縫合された一方の帯状部材の耳部で他方の帯状部材の耳部を覆うように形成しているから、正面側あるいは背面側が１枚の連続面で形成されたものとは異なり、日本的で独特な雰囲気を醸し出す新しい収納体として提供することができる。しかも、帯状部材は丈夫であり長期間の使用に耐えることができる。また、並設された帯状部材の接合部が縫合されていても、一方の帯状部材の耳部で他方の帯状部材の耳部を覆っていることから、接合部位が外方に向かって飛び出すことはなく、視覚的にもスマートな感じを演出することができる。
【００１９】
なお、隣接する帯状部材を接合する場合、長手方向に沿う耳部同士を接合するばかりでなく、例えば、長手方向の所定寸法で折り返して、折り返した部位あるいは折り返した部位と反対側の端面で、隣接する帯状部材とを接合してもよい。これによって、畳縁用の帯状材料を多様に使用することができて、新たな感覚を有する収納体を提供することができる。
【００２０】
また、一部に長手方向に沿って隣接する帯状部材の耳部同士で縫合し、別の一部で隣り合う帯状部材の耳部同士を、長手方向に沿うそれぞれの耳部の裏面で縫合する切り返し部を介して接合すれば、隣り合う帯状部材間に隙間を形成することができ、隙間を開くことによって新たな強調ポイントとして表現することができる。さらに、この切り返し部に異色の切り返し片を含んで構成すれば、さらに強調ポイントとして目立たせることができる。
【００２１】
さらに、帯状部材を縦方向に並列した収納体の場合、各帯状部材の上端部に横方向に配設した帯状部材と重合して縫合することによって、開口部周りの強度を高くして構成することができる。
【００２２】
また、この収納体では、縦方向に並設したそれぞれの帯状部材の上部において、隣接する帯状部材の縫合部位から折り返すことによって三角状折り返し部が形成されて、更なる強調ポイントを引き出すことができる。この場合、三角状折り返し部の一部を絞ることによって変化をもたらすこともできる。
【００２３】
また、収納体の底部に胴体部に配設した帯状部材と同様の帯状部材を胴体部の帯状部材と同一方向に配設すれば、収納体全体が畳縁に使用する帯状部材で構成でき、独特な雰囲気を向上することができるとともに、底部を広げて被収納物の量を増やすことができる。
【００２４】
さらに、胴体部内と底部内の収納部に布製の裏地部を配設することによって、帯状部材を接合して形成することにより発生した段部を隠すことができ、被収納物を収納したり取り出したりする作業をスムーズに行うことができる。
【００２５】
また、この考案の収納体では、小物入れのような底の浅いものについては、１本の帯状部材で構成することができる。この場合、長手方向に対して所定寸法に切断して１本の短尺帯状部材とし、前記短尺帯状部材を折り返して１本の帯部として形成する。１本の帯部を折り返して縫合し、開口部と収納部を形成することによって収納体として構成できるから、やはり、畳縁用として使用する場合と同様の独特な雰囲気を有する小物入れを提供することができる。
【００２６】
さらに、この考案の収納体では、２本の帯部を重ね合わせて、開口部と収納部を形成することによって、箸セット等の小物の収納体を構成することができる。
【考案を実施するための最良の形態】
【００２７】
次に、本考案における収納体の各種の実施形態を図面に基づいて説明する。本考案の収納体においては、図１に示すように、畳縁として使用される帯状部材（以下、単に帯状部材という）１０を使用して構成するものである。帯状部材１０は８ｃｍ幅の定幅寸法で形成されたものを使用する。この帯状部材１０を、例えば、手提げ鞄のように収納する部位の深さが広いものにおいては、複数の帯状部材１０を接合して並設して使用するものであり、小物入れのように収納する部位の深さの狭いものにおいては、１本の帯状部材を、長手方向に対して短く切断したものを折り返して構成するものである。なお、帯状部材１０は、ポリエステルやポリプロピレン又はポリエチレン等の化学繊維又は質感に優れた麻又は綿の材料で形成されている。
【００２８】
図２は、第１の実施形態の収納体１を示すものであり、収納深さの広い手提げ鞄（以下、バッグという）１を示すものである。バッグ１は、複数の帯状部材１０を横方向に並設して構成するものであり、一部には１本の帯状部材を平板状のまま所定長さに切断したものを使用し、別の一部では１本の帯状部材を幅方向の所定位置で折り返して使用する。そしてそれぞれの帯状部材を、それぞれ直接あるいは介在部材を介して接合して構成するものである。
【００２９】
実施形態においては、バッグ１は、上部を開口して内部に空間部を形成するように、胴体部４と底部５とを備えて構成されている。胴体部４には、帯状部材１０を、正面側及び背面側に横方向に沿って並設し、底部５には、帯状部材１０を横方向に沿って配置して構成されている。
【００３０】
図３〜４に示すように、胴体部４の一方の面（正面側又は背面側）に配置された帯状部材１０は、５本使用され、上段部において、幅方向の所定位置で上端部を折り返した折り返し帯状部材１０Ａと、折り返し帯状部材１０Ａの内側に配置されて上端部を折り返した折り返し帯状部材１０Ｂと、が重合した状態で縫合されている。表面側の折り返し帯状部材１０Ａの表面は、折り返し帯状部材１０Ｂより下方に延設されている。
【００３１】
その下段においては、平板状帯状部材１０Ｃが配置され、上段部に配置された折り返し帯状部材１０Ａとの間で強度を高くして接続するために、切り返し部１２を介して接合されている。切り返し部１２は、折り返し帯状部材１０Ａの裏面側に一端を縫合する折り返し帯状部材１０Ｄと、平板状帯状部材１０Ｃの裏面側に一端を縫合する折り返し帯状部材１０Ｅと、折り返し帯状部材１０Ｄ、１０Ｅを縫合して接続する切り返し片１１と、を備えている。
【００３２】
折り返し帯状部材１０Ｄは、折り返された表面側の耳部１０３が折り返し帯状部材１０Ａの耳部１０１と縫合され、裏面側の耳部１０３が切り返し片１１の一方の耳部１１１と縫合されている。また、折り返し帯状部材１０Ｄ裏面側は、表面側及び折り返し帯状部材１０の下端より下方に延設して折り返されている。そのため、折り返し帯状部材１０Ｄの裏面側に折り返された面が、正面視で目視されることとなる。
【００３３】
折り返し帯状部材１０Ｅは、折り返された表面側と裏面側とが同じ長さに形成され、折り返された表面側の耳部１０４が平板状帯状部材１０Ｃの耳部１０２と縫合され、裏面側の耳部１０４が切り返し片１１の一方の耳部１１１と縫合されている。
【００３４】
切り返し片１１Ａは、帯状部材１０と同一の材料（同幅寸法）で形成され、幅方向の両端部から折り返して使用され、その両端部の耳部１１１、１１１を折り返し帯状部材１０Ｄ、１０Ｅの各耳部１０３、１０４で縫合して装着されている。そのため、折り返し帯状部材１０Ａと平板状帯状部材１０Ｃとの間で外側に開口することができる。この切り返し片１１Ａは、折り返し帯状部材１０Ａ、折り返し帯状部材１０Ｄ及び平板状帯状部材１０Ｃと異なる色で形成されている。
【００３５】
なお、切り返し部１２においては、折り返し帯状部材１０Ｄ、１０Ｅを削除して、直接、切り返し片１１で、折り返し帯状部材１０Ａと平板状帯状部材１０Ｃを縫合することによって接合してもよい。
【００３６】
平板状帯状部材１０Ｃの下段には、図５に示すように、一方の縁部が折り返された縁部折り返し帯状状部材１０Ｆが配置されている。平板状帯状部材１０Ｃと縁部折り返し帯状部材１０Ｆとは、対向するそれぞれの耳部１０２、１０５で縫合され、下段側の縁部折り返し帯状部材１０Ｆの上部側耳部１０５が平板状帯状部材１０Ｃ側に折り返されている。平板状帯状部材１０Ｃの下部側耳部１０２が縁部折り返し帯状部材１０Ｆの上部側耳部１０５を隠すように直線方向に延設されて縁部折り返し帯状部材１０Ｆの上部を覆っている。それぞれの耳部同士を縫合した平板状帯状部材１０Ｃと縁部折り返し帯状部材１０Ｆを合わせて連接帯状体１１０と呼び、例えば、胴体部４の上下方向に長いものでは、この連接帯状体１１０を並設して、それぞれの連接帯状体１１０を切り返し部１２で連接することもできる。
【００３７】
縁部折り返し帯状部材１０Ｆの下段には、平板状帯状部材１０Ｇが、前述と同様に構成された切り返し部１２を介して接続されている。縁部折り返し帯状部材１０Ｆの下部側の耳部１０５は平板状に形成されて、前述の切り返し部１２と同様に構成された折り返し帯状部材１０Ｄの上部側耳部１０３に縫合されている。平板状帯状部材１０Ｇは上部側耳部１０６が、折り返し帯状部材１０Ｅの上部側の耳部１０４に縫合され、下部が底部５に連接されている。
【００３８】
上述の胴体部４における各帯状部材１０の接続構成は、正面側又は背面側のいずれか一方に対して説明したものであるが、他方の側においても同様の構成である。正面側と背面側とは、その側面側端部において、それぞれの帯状部材１０の長手方向の端部の対向する耳部同士が折り返された状態で縫合されることによって連接されている。
【００３９】
底部５は、図６〜７に示すように、一対の縁部折り返し帯状部材１０Ｈ、１０Ｈが、長手方向に沿ってその対向する耳部１０７、１０７同士を内側に突出させて重合した状態で縫合することによって接合されている。また、縁部折り返し帯状部材１０Ｆの周縁は下方に折り返されて、胴体部４の平板状帯状部材１０Ｇの下部側耳部１０６に縫合して連接されている。底部５の縁部折り返し帯状部材１０Ｈ、１０Ｈには、内部の収納部３側から、一対の縁部折り返し帯状部材１０Ｆ、１０Ｆを覆うように板状芯部材２０が挿入されている。なお、板状芯部材２０の上面側に、底部５に配置された一対の縁部折り返し帯状部材１０Ｈ、１０Ｈを配置して、二重の縁部折り菓子帯状部材１０Ｈ、１０Ｈで挟持するようにしてもよい。
【００４０】
これによって各帯状部材１０で囲われた胴体部４の内部に空間部が形成され、胴体部４と板状芯部材２０を含む底部５の裏面全周にわたって布製で形成された裏地部１３を縫合し、その内部の空間部を収納部３（図３参照）としている。裏地部１３の上端部には、ファスナー１４ａを有するチャック部１４を配置して上部の開口部２を開閉可能に構成している。
【００４１】
また、胴体部４の上端部には、正面側と背面側のそれぞれに装着される手提げ部１５を連結するための連結部材１６がそれぞれ２箇所に配置されている。連結部材１６は皮材で形成され、折り返し帯状部材１０Ａと折り返し帯状部材１０Ｂとを挟持して縫合されている。手提げ部１５は、皮材で形成されるとともに上方に向かって長尺状に延びる逆Ｕ字状に形成され、その下部に装着孔１５１が形成され、装着孔１５１に連結部材１６の一端が係止されている。
【００４２】
次に第２の実施形態の収納体２１について図８〜１２に基づいて説明する。図８に示すように、この収納体２１は、手提げ鞄（以下、バッグという）であり、複数の帯状部材１０が胴体部の縦方向に並設して構成されているものである。
【００４３】
バッグ２１は、上部を開口して内部に空間部を形成するように、胴体部２４と底部２５とを備えて構成されている。胴体部２４には、帯状部材１０を、正面側及び背面側に縦方向に沿って並設させている。
【００４４】
この実施形態のバッグ２１においては、帯状部材１０は、胴体部２４における正面側から背面側にわたって連続した状態で縦方向に並設し、並設された各帯状部材１０の裏面側に胴体部２４全周面にわたって配置された裏地部２６、裏地部の上端部に配置された開閉部２７を装着することによって、上部に開口部２２、胴体部２４の内部に収納部２３を有してバッグ２１が構成されることになる。底部２５は帯状部材１０の下部で折り返された部位となり、正面視においては、全体的に円弧状に形成されている。
【００４５】
上部の開口部２２には、上端平板状帯状部材１０Ｊを正面側と背面側にそれぞれ横方向に配置し、長手方向の両端部の耳部同士を縫合して接続している。従って、開口部２２を広げた状態では円環状に形成されることになる。なお、この上端平板状帯状部材１０Ｊは、正面側と背面側にわたって連続した１本の上端平板状帯状部材で形成してもよい。この場合には、両端の耳部同士を縫合して接合することになる。
【００４６】
胴体部２４は、上端平板状帯状部材１０Ｊと直交する縦方向に並設された平板状帯状部材１０Ｋが、正面側（又は背面側）の上端平板状帯状部材１０Ｊに一端を縫合して、底部２５で折り返されて他端を背面側（又は正面側）の上端平板状帯状部材１０Ｊに縫合している。
【００４７】
並設されたそれぞれの平板状帯状部材１０Ｋは、図９に示すように、それぞれの長手方向に沿って向かい合う耳部１０９、１０９同士で縫合されている。そして、縫合された一対の耳部１０９、１０９は、一方の方向に折り返されている。胴体部２４の上部において、図１２に示すように、耳部１０９、１０９を縫合する縫合部２８は、平板状帯状部材１０Ｋの端部と平行に縫合される平行縫合部２８ａから中央部に向かって傾斜する傾斜縫合部２８ｂを含んでいる。この傾斜縫合部２８ｂを形成することによって、平板状帯状部材１０Ｋの耳部１０９は、端部から徐々に幅を広げることができる。傾斜縫合部で縫合された一対の耳部１０９、１０９を、傾斜縫合部２８ｂを中心にして正面側に折り返すことによって略三角状に形成される。隣接する平板状帯状部材１０Ｋの略三角状の折り返し部と合わせて略三角状の開き部２９を形成することができる。
【００４８】
この際、この開き部２９は、傾斜縫合部２８ｂの長さによって大小それぞれの大きさに形成される。つまり、図１１（ａ）に示すように、左右の傾斜縫合部２８ｂの長さが異なるものや、図１１（ｂ）に示すように、同一の長さで形成されていることによって、耳部１０９、１０９を開いたときにその大きさが異なることになる。さらに、実施形態においては、大きい開き部２９には、その中間部において、例えば、紐で絞ることによって絞り部２９ａを形成している。
【００４９】
正面側と背面側との境は、正面側における端部に配置された平板状帯状部材１０Ｋと背面側における端に配置された平板状帯状部材１０Ｋ同士を、それぞれ、対向する耳部同士で縫合して接合してもよく、また、第１の実施形態の収納体１における底部５を構成するように、側面部として、一対の平板状帯状部材１０を並設して構成してもよい。いずれの場合においても、胴体部２４を正面視円弧状に形成するために、側端部の下部を上方に折り返して接合することになる。
【００５０】
なお、この第２の実施形態の収納体２１における、縦方向に並設された隣り合う一対の平板状帯状部材１０Ｋ、１０Ｋ間に、第１の実施形態の収納体１における切り返し部１２を介してそれぞれ縫合して接合することもできる。
【００５１】
上述のように、実施形態のバッグにおいては、畳縁で使用されている帯状部材１０を、横方向に並設させたり、縦方向に並設させたりすることによって、各種のバッグを構成することができる。この場合、１本の帯状部材１０を平板状にしたままで隣接する帯状部材１０と縫合してもよく、また、長手方向に沿って所定の位置で折り返して、隣接する帯状部材１０と縫合してもよい。これによって、従来と異なる新たな雰囲気を有するバッグを構成することができる。例えば、隣接する帯状部材１０、１０の接続部は、それぞれの耳部同士で縫合しているから、外方に突出する部位を一方の帯状部材側に被せることによって、つなぎ合わせた帯状部材１０、１０をスマートに表現することができ、また、切り返し部１２を介して接合することによって、一対の帯状部材１０、１０間を開くことができる。開いた部位が異色に形成されていれば、その部位が強調されて目立たせることができる。
【００５２】
また、上部や下部において、強度を必要とする場合には、帯状部材を折り返して二重に構成することも可能である。さらに、帯状部材１０を縦方向に並設した場合には、上部に耳部１０９、１０９を折り返すことによって開き部２９を形成することができ、従来にない新たな表現を醸し出すことができるバッグを提供することができる。いずれにしても、複数の帯状部材１０を、各種に変形させて構成できることから、畳縁で使用される際の特有の良さ、つまり、日本の古風な雰囲気を表現することができ、また、丈夫に構成することができる。
【００５３】
次に、第３の実施形態の収納体について説明する。
【００５４】
図１３に示すように、第３の実施形態の収納体３１は、小物入れを示すものであり、１本の畳縁用の帯状部材１０を、長手方向に対して所定寸法に切断して短尺帯状部材３０とし、短尺帯状部材３０を折り返しながら側部を縫合して形成するものである。例えば、図１３に示すように、この短尺帯状材料３０を長手方向の両端部からそれぞれ谷折で折り曲げて接着し二重に形成されたベース帯状部材３０Ａとする。一方の折り曲げ部３２は、他方の折り曲げ部３３より短く形成され、折り曲げた両端部の合わせ面３４で略接触する位置となる。次に、一方の折り曲げ部３２をさらに合わせ面３４で折り返し、この状態で、折り曲げ部３２の長手方向に沿う両端部を縫合して接合する。縫合された部位が収納部３５を形成する。これによって、収納部３５における、折り曲げた合わせ面３４と反対側が開口部３６として形成される。他方の折り曲げ部３３は、収納部３５の上面を被せるように折り返すことによって開口部３６に対して開閉可能なカバー部３７として形成する。そして収納部３５とカバー部３７との対向面にそれぞれ一対のホック３８ａ、３８ｂを係合可能に装着することによって、カバー部３７を収納部３６に閉じたままでロックすることができる。
【００５５】
これによって、小物入れ３１を構成することができる。この実施形態の収納体（小物入れ）１３は、１本の短尺帯状部材３０で構成されていることから、第１の実施形態の収納体１、又は第２の実施形態の収納体２１と同様、畳縁として使用される際の特有の良さ、つまり、日本の古風な雰囲気を表現することができ、また、丈夫に構成することができる。
【００５６】
次に、第４の実施形態について説明する。
【００５７】
第４の実施形態の収納体４１は、第３の実施形態の収納体３１と同様に、１本の畳縁用の帯状部材１０を、長手方向に対して所定寸法に切断して短尺帯状部材４０とし、短尺帯状部材４０を折り返して１本の帯部として形成する。そして２本の帯部を縫合することによって収納体を形成するものである。
【００５８】
この実施形態は、例えば、夫婦箸セット用収納体として好適に使用できるものである。
【００５９】
つまり、図１４〜１７に示すように、実施形態の収納体４１は、短尺帯状部材４０の長手方向の略中央部を折り返して二重に形成するとともに、長手方向に沿った両端部を縫合して形成する背帯部４２と、背帯部４２より短尺で長手方向の略央部を折り返して二重に形成するとともに、その折り返し部４３１を幅方向に縫合する前帯部４３と、を備えて形成されている。
【００６０】
背帯部４１は、その折り返し部４２１を上端とし、その反対側を下端とすると、下端側の一方を僅かに折り返して、三重に形成する。三重に形成する背帯部４２の下端部には、正面視にマジックテープ（登録商標）４４を装着する。
【００６１】
前帯部４３は、その上端を背帯部４２の上端より離れた下方の位置に配置し、下端を背板部４２の下端より離れた上方の位置に配置して背帯部４２に重ね合わせて長手方向の両側端部を背帯部４２とともに縫合する。前帯部４３の上端と背帯部４２の上端の間隔は、前帯部４３の下端と背帯部の下端との間隔より大きく形成されている。また、前帯部４３の、幅方向の中央部には、前帯部４３を幅方向で二分割するように背帯部４２とともに縫合されて中央縫合部４６としている。これによって、背帯部４２と前帯部４３との間には、２本の収納部４７、４７が両端を開口して形成されることとなる。
【００６２】
さらに、前帯部４３の下端にはマジックテープ（登録商標）４５が装着されて、背帯部４２の下部を折り返すことによって、マジックテープ（登録商標）４４、４５を係着して収納体４１の下部を開閉可能に形成することができる。そして、収納部４７、４７にそれぞれ１膳の箸４８を収納することによって、夫婦箸セット用収納体４１が形成される。
【００６３】
第４の形態の収納体においては、長手方向に沿って中央縫合部４６を形成することによって２分割した収納部４７、４７を形成できることから、ペアで使用するもの（例えば、夫婦箸セット等）を好適に収納することができる。また、下部を開閉できることから、下部を開いたときに、収納部を掃除することができてゴミを溜めることがない。
【００６４】
また、この収納体４１においては、前帯部４３上に前帯部４３より短い長さの帯部を重ねて、両側部及び下部を前帯部４３に縫合することによって上部を開口した小収納部を形成することができる。これによって、例えば、爪楊枝等の小物入れをさらに形成することができる。
【００６５】
なお、本考案の収納体は、上述の形態に限定するものではなく、帯状部材１０の本数は使用目的によって自由に並設させればよく、それぞれの接続部も自由に接合することができる。例えば、第１の実施形態の場合、並設する帯状部材１０の本数を減らすことによって、ポーチやセカンドバッグとして構成してもよい。この場合、連接帯状体１１０を１対並設して、その間に切り返し部１２で接続することができる。連接帯状体１１０には、強度を増すために折り返した折り返し帯状部材を重合して形成してもよい。
【００６６】
また、第２の実施形態の場合、開き部２８を形成しないで平板状帯状部材１０をそのまま並設してもよい。
【００６７】
さらに、第３の実施形態の場合、つまり、短尺帯状部材３０で胴体部を構成する場合に、正面側と背面側にそれぞれ短尺帯状部材３０を対向して配置し、一対の短尺帯状部材３０の下端を、底部に配置する短尺帯状部材３０の側面に縫合する。そして、上部の開口部を開閉可能な開閉部（例えば、チャック、又はホック）を装着して構成することもできる。
【００６８】
また、上部の開口部に配置される開閉部は、チャック又はホック等、使用目的によって自由に選択することができ、裏地部は削除しても構わない。
【００６９】
また、第４の実施形態の場合、短尺帯状部材を２本又はそれ以上重ねて、収納部を形成して、適所な位置で縫合部を設けることによって、ペア組を収納する等の多様なものに使用することができる。
【図面の簡単な説明】
【００７０】
【図１】本考案で使用する畳縁用の帯状部材を示す斜視図である。
【図２】図１における帯状部材で構成する第１の実施形態のバッグを示す斜視図である。
【図３】図２におけるバッグの構成を示す断面図である。
【図４】図２におけるバッグ胴体部の上段部を示す一部断面図である。
【図５】図２におけるバッグ胴体部の下段部を示す一部断面図である。
【図６】図２におけるバッグの底部を示す断面図である。
【図７】図２における底部を示す底面図である。
【図８】第２の実施形態のバッグを示す斜視図である。
【図９】図８のバッグにおける並設する帯状部材の接合状態を示す断面図である。
【図１０】図８のバッグにおける上部を示す一部断面図である。
【図１１】図８のバッグにおける帯状部材の縫合部を示す正面図である。
【図１２】図８のバッグにおける開き部を示す一部正面図である。
【図１３】第３の実施形態の小物入れの形成手順を示す斜視図である。
【図１４】第４の実施形態の夫婦箸セット用収納体を示す正面図である。
【図１５】図１５の収納体を示す断面図である。
【図１６】図１４における収納体の下部を開いた状態を示す正面図である。
【図１７】図１４における収納体を示す平面図である。
【符号の説明】
【００７１】
１、バッグ（収納体）
２、開口部
３、収納部
４、胴体部
５、底部
１０、帯状部材
１０Ａ、１０Ｂ、１０Ｄ，１０Ｅ、折り返し帯状部材
１０Ｃ、１０Ｇ、１０Ｋ、平板状帯状部材
１０Ｆ、縁部折り返し帯状部材
１０Ｊ、上端平板状部材
１０１〜１０９、耳部
１１、切り返し片
１１１、耳部
１２、切り返し部
１３、裏地部
１４、チャック部
１５、手提げ部
２１、バッグ（収納体）
２８、縫合部
２８ａ、平行縫合部
２８ｂ、傾斜縫合部
２９、開き部
２９ａ、絞り部
３０、短尺帯状部材
３１、小物入れ（収納体）
３２、３３、折り曲げ部
３４、合わせ面
３５、収納部
３６、カバー部
４０、短尺帯状部材
４１、箸セット（収納体）
４２、背帯部
４３、前帯部
４６、中央縫合部
４７、収納部
【図１】
0003145506.tif 000003
【図２】
0003145506.tif 000004
【図３】
0003145506.tif 000005
【図４】
0003145506.tif 000006
【図５】
0003145506.tif 000007
【図６】
0003145506.tif 000008
【図７】
0003145506.tif 000009
【図８】
0003145506.tif 000010
【図９】
0003145506.tif 000011
【図１０】
0003145506.tif 000012
【図１１】
0003145506.tif 000013
【図１２】
0003145506.tif 000014
【図１３】
0003145506.tif 000015
【図１４】
0003145506.tif 000016
【図１５】
0003145506.tif 000017
【図１６】
0003145506.tif 000018
【図１７】
0003145506.tif 000019